(57)【要約】      （修正有）【課題】引き戸や開き戸に備える鎌錠に対し簡単且つ容易に外付けして開閉を検知可能とする。【解決手段】引き戸３４に装着された鎌錠１０は、施錠操作により鎌片１８を掛止金具の掛け口に嵌合して施錠し、解錠操作により鎌片１８を掛止金具からの離脱して解錠する。鎌錠監視装置４０内にはマイクロスイッチ４２が設けられ、スイッチノブ４４を操作する検知レバー４６を引き戸３４の合せ面３４ａの隙間に挿入し、鎌錠１０の施錠操作又は解錠操作に応じた鎌片１８の動きを検知レバー４６で検知してマイクロスイッチ４２をオン、オフし、鎌錠の施錠又は開錠を示す検知信号を出力する。【選択図】図２
2012149452.tif 000002
【特許請求の範囲】
【請求項１】
開き戸や引き戸に装着され、施錠操作による鎌片の掛止金具への嵌合で施錠し、解錠操作に応じた前記鎌片の掛止金具から離脱で解錠する鎌錠の状態を監視する鎌錠監視装置に於いて、
前記鎌錠又は掛止金具の位置近傍に設置された装置本体に、
前記鎌錠の施錠操作又は解錠操作に応じた鎌片の動きを検知して伝達する検知レバー部材と、
前記検知レバー部材により伝達された動きに応じて前記鎌錠の施錠又は開錠の少なくともいずれかを示す検知信号を出力する検知スイッチと、
を設けたことを特徴とする鎌錠監視装置。
【請求項２】
請求項１記載の鎌錠監視装置に於いて、前記検知レバーのレバー先端を、戸の閉鎖状態で合せ面に形成される隙間に挿入して前記鎌片が移動する位置に配置したことを特徴とする鎌錠監視装置。
【請求項３】
請求項１記載の鎌錠監視装置に於いて、前記検知スイッチは、前記鎌片の施錠位置への移動に伴う前記検知レバー部材の動きでオンし、前記鎌片の解錠位置への移動に伴う前記検知レバー部材の動きでオフするマイクロスイッチであることを特徴とする鎌錠監視装置。
【請求項４】
開き戸や引き戸に装着され、施錠操作による鎌片の掛止金具への嵌合で施錠し、解錠操作に応じた前記鎌片の掛止金具から離脱で解錠する鎌錠の状態を監視する鎌錠監視装置に於いて、
前記掛止金具の取付け側に設置された装置本体に、
前記掛止金具の鎌片が嵌合する掛け口の内部空間に配置された検知コイルと、
前記検知コイルに前記鎌片が近接した場合と遠退いた場合の前記検知コイルのインダクタンスの変化に基づいて前記鎌錠の施錠又は開錠の少なくともいずれかを示す検知信号を出力する検知回路と、
を設けたことを特徴とする鎌錠監視装置。
【請求項５】
請求項４記載の鎌錠監視装置に於いて、前記検知回路は、
前記検知コイルを発振要素とし、前記鎌錠の施錠操作により前記検知コイルに前記鎌片が近接した場合に所定の第１周波数で発振し、前記鎌錠の解錠操作により前記検知コイルに前記鎌片が遠退いた場合に所定の第２周波数で発振する発振回路と、
前記発振回路の第１周波数発振信号を検知した場合は施錠検知信号を出力し、前記発振回路の第１周波数発振信号を検知しない場合は解錠検知信号を出力する周波数検知回路と、
を備えたことを特徴とする鎌錠監視装置。
【請求項６】
請求項４記載の鎌錠監視装置に於いて、前記周波数検知回路は、
前記第１周波数振信号を抽出するフィルタと、
前記フィルタから前記第１周波数発振信号が出力された場合に施錠検知信号を出力し、前記フィルタから前記第１周波数発振信号が出力されなかった場合に解錠検知信号を出力する出力回路と、
を備えたことを特徴とする鎌錠監視装置。
【請求項７】
請求項４記載の鎌錠監視装置に於いて、電池電源で動作する場合に前記検知回路を間欠駆動することを特徴とする鎌錠監視装置。
【請求項８】
請求項１又は４記載の鎌錠監視装置に於いて、前記装置本体は、施錠又は解錠を示す検知信号を外部に無線通信する通信部を備えたことを特徴とする鎌錠監視装置。
【発明の詳細な説明】
【技術分野】
【０００１】
本発明は、開き戸や引き戸等に設けられた鎌錠の施錠又は解錠状態を検知して出力する鎌錠監視装置に関する。
【背景技術】
【０００２】
従来、家庭用の防犯システムに使用する装置として、窓の開閉を検知して無線により監視盤に送信して警報させる無線式の窓開閉監視装置が知られている。窓開閉監視装置にあっては、窓ガラスに配置したマグネットの磁力を磁気検知素子で検知し、検知磁力が低下したときに窓開閉と判断して異常検知信号を監視盤に無線送信して警報させる。また窓に設けたクレセント錠の開閉レバーに配置したマグネットの磁力を別の磁気検知素子で検出し、検知磁力が低下したときにクレセント錠の開放と判断して異常検出信号を監視盤に無線送信して警報させている。
【０００３】
このような窓開閉監視装置の利点は、既に施工されている窓に対しても、後から簡単に装着して窓開閉の検知情報を得られる点にある。
【０００４】
一方、家庭防犯システムで監視する窓や扉には、クレセント錠以外に鎌錠を設置している場合がある。鎌錠は開き戸又は開き戸の構造となる窓や扉に設置され、ハンドルの施錠操作により鎌片を突出させて例えば扉枠側に設けた掛止金具に嵌合して施錠し、ハンドルを戻す解錠操作により鎌片を掛止金具から離脱して解錠するようしている。
【先行技術文献】
【特許文献】
【０００５】
【特許文献１】特開２０１０−１２９００５号公報
【特許文献２】特開２０１０−２２９７１８号公報
【発明の概要】
【発明が解決しようとする課題】
【０００６】
しかしながら、このような従来の鎌錠にあっては、扉や窓の合せ面に鎌片が出没するように扉や窓の合せ面に組み込まれており、既に施工されている扉や窓の鎌錠に対し、従来のクレセント錠のようにマグネットの磁力を利用して開閉を検知する監視装置を取付けることが困難であった。
【０００７】
即ち、鎌錠の状態を検知するためには、合せ面の間を動く鎌片の動きを検知する必要があり、クレセント錠のようにマグネットを鎌錠に設けて鎌片の動きを磁気検知素子で検知するように方法をとることができないという問題がある。
【０００８】
本発明は、既に施工されている引き戸や開き戸の鎌錠に対し簡単且つ容易に外付けして開閉を確実に検知可能とする鎌錠監視装置を提供することを目的とする。
【課題を解決するための手段】
【０００９】
本発明は、開き戸や引き戸に装着され、施錠操作による鎌片の掛止金具への嵌合で施錠し、解錠操作に応じた前記鎌片の掛止金具から離脱で解錠する鎌錠の状態を監視する鎌錠監視装置に於いて、
鎌錠又は掛止金具の位置近傍に設置された装置本体に、
鎌錠の施錠操作又は解錠操作に応じた鎌片の動きを検知して伝達する検知レバー部材と、
検知レバー部材により伝達された動きに応じて鎌錠の施錠又は開錠の少なくともいずれかを示す検知信号を出力する検知スイッチと、
を設けたことを特徴とする。
【００１０】
ここで、検知レバーのレバー先端は、戸閉鎖状態で合せ面に形成される隙間に挿入して鎌片が移動する位置に配置する。
【００１１】
検知スイッチは、鎌片の施錠位置への移動に伴う検知レバー部材の動きでオンし、鎌片の解錠位置への移動に伴う検知レバー部材の動きでオフするマイクロスイッチである。
【００１２】
本発明の他の形態にあっては、開き戸や引き戸に装着され、施錠操作による鎌片の掛止金具への嵌合で施錠し、解錠操作に応じた前記鎌片の掛止金具から離脱で解錠する鎌錠の状態を監視する鎌錠監視装置に於いて、
掛止金具の取付け側に設置された装置本体に、
掛止金具の鎌片が嵌合する掛け口の内部空間に配置された検知コイルと、
検知コイルに鎌片が近接した場合と遠退いた場合の検知コイルのインダクタンスの変化に基づいて鎌錠の施錠又は開錠の少なくともいずれかを示す検知信号を出力する検知回路と、
を設けたことを特徴とする。
【００１３】
ここで、検知回路は、
検知コイルを発振要素とし、鎌錠の施錠操作により検知コイルに鎌片が近接した場合に所定の第１周波数で発振し、鎌錠の解錠操作により検知コイルに鎌片が遠退いた場合に所定の第２周波数で発振する発振回路と、
発振回路の第１周波数発振信号を検知した場合は施錠検知信号を出力し、発振回路の第１周波数発振信号を検知しない場合は解錠検知信号を出力する周波数検知回路と、
を備える。
【００１４】
周波数検知回路は、
第１周波数振発振信号を抽出するフィルタと、
フィルタから第１周波数発振信号が出力された場合に施錠検知信号を出力し、フィルタから第１周波数発振信号が出力されなかった場合に解錠検知信号を出力する出力回路と、
を備える。
【００１５】
電池電源で動作する場合に検知回路を間欠駆動する。
【００１６】
装置本体は、施錠又は解錠を示す検知信号を外部に無線通信する通信部を備える。
【発明の効果】
【００１７】
本発明によれば、引き戸や開き戸の合せ面の一方に取付けた掛止金具に相対して取付けられている鎌錠に対し、例えば掛止金具との合せ面の隙間に検知レバー部材を挿入して鎌錠の操作による鎌片の動きを検知レバー部材により機械的に伝達して検知スイッチを作動させることで、既に施工されている引き戸や開き戸の鎌錠に対し簡単且つ容易に後付けして施錠又は解除、即ち戸の開閉を確実に検知して家庭の防犯監視に活用することができる。
【００１８】
また本発明の別の形態によれば、鎌錠の鎌片が嵌合する掛止金具の掛け口の内部空間に検知コイルを入れて鎌片の動きを電気的に検知することで、既に施工された扉や窓の鎌錠に対し簡単且つ容易に後付けして施錠又は解除、即ち戸の開閉を確実に検知することができる。
【図面の簡単な説明】
【００１９】
【図１】本発明により監視する鎌錠の一例を示した説明図
【図２】鎌錠の動きを検知レバーにより機械的検知する本発明による鎌錠監視装置の実施形態を示した説明図
【図３】鎌錠の施錠状態を一部断面で示した説明図
【図４】図２の鎌錠監視装置に収納した検知回路の実施形態を示したブロック図
【図５】検知コイルを用いた本発明による鎌錠監視装置の設置状態を示した説明図
【図６】図５の鎌錠監視装置に収納した検知回路の実施形態を示したブロック図
【図７】間欠動作を行う図５の検知回路の他の実施形態を示したブロック図
【発明を実施するための形態】
【００２０】
図１は本発明により監視する鎌錠の一例を示した説明図である。図１において、鎌錠１０はフロント板１４の背後にケース本体２２を設け、フロント板１４の縦方向に形成した開口１６から施錠操作により図示のように鎌片１８を下向きに回動して突出させるようにしている。
【００２１】
ケース本体２２の側面にはハンドルカバー２４が設けられ、その中にハンドル２６を回動自在に支持している。ハンドル２６はケース本体２２に収納したリンク機構を介して鎌片１８に連結され、ハンドル２６を垂直の位置から図示の水平となる位置に例えば左回りに回すと、フロント板１４の開口から図示のように鎌片１８が下向きに回動して突出し、相手側となる掛止金具１２の掛け口２８の下側に嵌合して施錠状態とする。
【００２２】
また図示の施錠状態でハンドル２６を右回りに垂直となる位置に回すと、鎌片１８が掛止金具１２の掛け口２８から外れて開口１６の内部に引き込まれた解錠状態となる。
【００２３】
鎌錠１０及び掛止金具１２の引き戸や開き戸に対する取り付けは、戸の合せ面に堀込み加工を行って取付穴を形成し、ケース本体２２および金具本体３２を取付穴に収納した状態でねじ穴２０，３０に木ねじを入れして固定する。なお、ハンドル２６を設けたハンドルカバー２４は、ケース本体２２を戸合せ面の取付穴に収納して固定した後に、扉面に空けた穴からケース本体２２の軸部に嵌め込み固定する。
【００２４】
図２は鎌錠の動きを検知レバーにより機械的検知する本発明による鎌錠監視装置の実施形態を示した説明図である。
【００２５】
図２において、本実施形態の鎌錠監装置４０は、鎌錠１０を合せ面３４ａに取付けた引き戸３４の例えば室内側の戸面に粘着テープなどで設置され、鎌錠監視装置４０の上側には検知スイッチとして機能するマイクロスイッチ４２が組み込まれており、マイクロスイッチ４０のスイッチノブ４４を作動する検知レバー（検知レバー部材）４６の先端を、鎌錠１０の施錠状態で突出した鎌片１８が当って押下げるように、合せ面３４ａと相手側との隙間に入れている。
【００２６】
図３は扉正面から鎌錠の施錠状態を一部断面で示した説明図である。引き戸３４，３５を閉じて合せ面４３ａ，３５ａを突き合わせた戸の閉鎖状態で鎌錠１０のハンドル２６を図示の水平となる施錠位置に回すと、ケース本体２２内のリンク機構を介して鎌片１８が下向きに回動しながら突出し、引き戸３５の合せ面３５ａに埋込配置している掛け金具１２の掛け口１８の下側に嵌合して施錠状態となる。
【００２７】
鎌錠監視装置４０はケースカバー５０の上部にマイクロスイッチ４２を収納しており、マイクロスイッチ４２の作動レバーと一体化した検知レバー４６の先端を合せ面３４ａ，３５ａの隙間の施錠操作で移動した鎌片１８が当る位置に入れている。
【００２８】
鎌錠１０のハンドル２６により施錠操作を行うと、鎌片１８が突出して下向きに回動して掛け口２８の下側に嵌合し、この鎌片１８の動きにより引き戸３４，３５の隙間３４ａ，３５ａに入れている検知レバー４６が押下げられ、スイッチノブ４４を押すことでマイクロスイッチ４２がオンし、鎌錠１０の施錠、即ち引き戸の閉鎖が検知される。
【００２９】
鎌錠１０の施錠状態でハンドル２６の解錠操作を行うと、鎌片１８が掛止金具１２の掛け口２８の下側から外れて引き込まれ、鎌片１８による検知レバー１８の押下げが解除され、スイッチノブ４４は元の位置に突出し、マイクロスイッチ４４はオフとなり、鎌錠１０の解錠、即ち引き戸の開放が検知される。
【００３０】
図４は図２の鎌錠監視装置に設けた検知回路の実施形態を示したブロック図である。図４において、鎌錠監視装置の検知回路は、マイクロスイッチ４２、制御部５２、通信部５４、アンテナ５６及び電池電源５８で構成される。マイクロスイッチ４２は図３に示したように鎌錠１０を施錠操作した場合の鎌片１８の動きによる検知レバー４６の押下でオンし、スイッチオン信号を制御部５２に出力する。また鎌錠１０を解錠操作した場合の鎌片１８の動きによる検知レバー４６の押下げ解除でオフし、スイッチオフ信号を制御部５２に出力する。
【００３１】
制御回路５２はマイクロスイッチ４２からスイッチオン信号を入力した場合、鎌錠１０の施錠を検知して通信部５４を動作し、鎌錠施錠検知を示す電文をアンテナ５６から防犯システムの受信機に送信し、鎌錠１０の施錠を表示する。受信機で鎌錠を含む全ての錠の施錠が確認されたならば、例えば利用者が監視モードをセットすることで防犯監視がスタートする。
【００３２】
受信機による防犯監視中に制御回路５２がマイクロスイッチ４２からスイッチオフ信号を入力した場合、鎌錠１０の解錠を検知して通信部５４を動作し、鎌錠解錠検知を示す電文をアンテナ５６から防犯システムの受信機に送信し、異常警報を出力させる。
【００３３】
通信部５４としては、日本国内の場合には、例えば４００ＭＨｚ帯の特定小電力無線局の標準規格として知られたＳＴＤ−３０（小電力セキュリティシステム無線局の無線設備標準規格）またはＳＴＤ−Ｔ６７（特定小電力無線局テレメータ用、テレコントロール用及びデータ伝送用無線設備の標準規格）に準拠した構成を備える。
【００３４】
図５は検知コイルを用いて鎌錠の状態を監視する本発明による鎌錠監視装置の他の実施形態を示した説明図である。図５において、引き戸３４には図１に示した鎌錠１０が合せ面３４ａに掘込み加工した取付穴に収納固定され、戸面側に設けたハンドルカバー２６の中にハンドル２４を設けており、ハンドル２４を図示の水平位置に回すと合せ面３４から鎌片１８が下向きに回動するように突出し、相手側となる引き戸３５の合せ面３５ａに取付けている掛止金具１２の掛け口１８に嵌合して施錠状態となる。
【００３５】
本実施形態の鎌錠監視装置４０は掛止金具１２を取り付けた引き戸３５側に設置され、鎌片１８の嵌合による施錠を検知するため、掛止金具１２の掛け口２８の下側となる内部空間、即ち施錠操作により嵌合した鎌片１８が近接する内部空間の空き位置に検知コイル６０を設けている。
【００３６】
検知コイル６０は鎌錠監視装置４０に内蔵された検知回路に設けたＬＣ発振部の発振要素となっており、金属製の鎌片１８の近接に伴う検知コイル６０のインダクタンスの変化により発振周波数を変化させて施錠を検知するようにしている。
【００３７】
ここで掛止金具１２内に対する検知コイル６０の配置は、図示のように、検知コイル６０をそのまま配置する以外に、空芯ボビンに検知コイル６０を巻いた状態で接着などにより収納固定するか、または検知コイル６０を合成樹脂などの非磁性素材に埋め込んだ状態で収納固定し、施錠により嵌合して近接する鎌片１８に対し検知コイル６０との間に所定の距離関係が正確に設定され、所定のインダクタンス変化が安定的に得られるようにする。
【００３８】
図６は図５の鎌錠監視装置に設けた検知回路の実施形態を示したブロック図である。図６において、鎌錠監視装置の検知回路は、検知コイル６０を発振要素として外付けしたＬＣ発振部６２、フィルタ６６と出力回路６８を備えた周波数検知部６４、アンテナ５６を備えた通信部５４及び電池電源５８から構成されている。
【００３９】
発振部６２は例えばハートレー発振回路やコルピッツ発振回路を使用しており、検知コイル６０のインダクタンスをＬ、コンデンサの容量をＣとすると、発振周波数ｆは
ｆ＝１／２π√（ＬＣ）
となる。
【００４０】
ここで検知コイル６０から金属製の鎌片１８が離れている鎌錠１０の解錠状態での検知コイル６０のインダクタンスをＬ１とすると、解錠状態での発振周波数ｆ１は
ｆ１＝１／２π√（Ｌ１・Ｃ）    （１）
となる。
【００４１】
また図５のように検知コイル６０に金属製の鎌片１８が接近した鎌錠１０の施錠状態での検知コイル６０のインダクタンスをＬ２とすると、解錠状態での発振周波数ｆ２は
ｆ２＝１／２π√（Ｌ２・Ｃ）    （２）
となる。
【００４２】
施錠操作により検知コイル６０に金属製の鎌片１８を近づけた場合、検知コイル６０に電圧が加わることで磁界ができ、磁界ができると金属製の鎌片１８に渦電流が発生し、渦電流は検知コイル６０の磁界を打ち消す方向の磁界を発生する。このため検知コイル６０に金属製の鎌片１８が近づくと、検知コイル６０の磁界が打ち消されるため、検知コイル６０のインダクタンスは小さくなる。
【００４３】
ここで、解錠状態での検知コイル６０のインダクタンスをＬ１、施錠状態で検知コイル７０のインダクタンスをＬ２とすると、
Ｌ１＞Ｌ２
となり、（１）（２）式から発振周波数ｆ１，ｆ２の間には
ｆ１＜ｆ２
の関係が成り立つ。つまり解錠状態では発振周波数ｆ１は低く、施錠状態では発振周波数ｆ２は高くなるように変化する。
【００４４】
ＬＣ発振部６２に続いて設けた周波数検知部６４は例えば施錠状態で発振部６２から出力された高い周波数ｆ２を検知して施錠検知信号を出力し、高い周波数ｆ２が検知されない場合は解錠検知信号を出力する。
【００４５】
具体的には、中心周波数ｆ２を持つ帯域通過特性のフィルタ６６により発振周波数ｆ２の発振信号を抽出して出力回路６８で整流検波し、論理レベルでＨレベルとなる直流電圧に変換して出力する。また帯域通過特性のフィルタ６６により発振周波数ｆ２の発振信号が抽出されない場合は、出力回路６８から論理レベルでＬレベルとなる直流電圧に変換して出力する。予め、施錠状態と解錠状態の信号を設定モード時に記憶させて判断するようにしても良い。
【００４６】
通信部５４は周波数検知部６４からＨレベル出力が得られた場合、鎌錠１０の施錠検知電文を防犯システムの受信機に送信して処理させ、また、周波数検知部６４からＬレベル出力が得られた場合、鎌錠１０の解錠検知電文を防犯システムの受信機に送信して処理させる。
【００４７】
また図５の実施形態は検知コイル６０により電気的に鎌片１８の動きを検知していることから、図２の実施形態の検知レバー４６による機械的な検知のように、合せ面に隙間を確保する必要がなく、機密性を必要とする引き戸や開き戸に設けた鎌錠の監視に好適である。
【００４８】
なお、周波数検知部６６は、フィルタ６６により解錠状が態での低い発振周波数ｆ１の発振信号を検知してＨレベル出力し、低い発振周波数ｆ１の発振信号が検知できない場合はＬレベル出力とするようにしても良い。また周波数の検知はフィルタ６６と出力回路６８によらず、適宜の周波数検知回路を用いることができる。
【００４９】
図７は間欠動作を行う図５の鎌錠監視装置に設けた検知回路の他の実施形態を示したブロック図であり、電池電源による寿命を長くできるようにしている。
【００５０】
図７において、鎌錠監視装置４０の検知回路は、検知コイル６０を発振要素として外付けしたＬＣ発振部６２、フィルタ６６と出力回路６８を備えた周波数検知部６４、アンテナ５６を備えた通信部５４及び電池電源５８から構成され、この点は図６の実施形態と同じであるが、電池電源５８と各回路部の間に間欠駆動部７０を設けている。
【００５１】
発振部６２は検知コイル６０に対する鎌片１８の状態により低い発振周波数ｆ１又は高い発振周波数ｆ２で常に動作しており、このため消費電流が増加して電池電源５８の寿命が制約される。
【００５２】
そこで、間欠駆動部７０を設けることで例えば１分周期で数秒間電源を供給して発振動作を行わせ、発振周波数を識別して施錠検知電文または解錠検知電文を送信させ、平均的な消費電流を大幅に低減して電池寿命を延ばすことができる。このような間欠動作により鍵錠を操作してから検知電文を送信するまでに間欠周期に対応した時間遅れを生ずるが、１分程度の遅れは防犯監視システムでは問題にはならない。
【００５３】
なお、上記の実施形態は鎌錠の施錠又は解錠を示す信号を無線送信する場合を例にとっているが、有線により送信しても良く、また、図２の実施形態については、マイクロスイッチ４２からのオン、オフ信号を直接信号線により送信しても良い。
【００５４】
また、上記の実施形態は引き戸や開き度に取付けられる鎌錠の監視を例にとるものであったが、開き窓や引き窓などの適宜の窓に適用することができる。また、引き戸や開き戸の戸の合せ面以外に、戸と戸枠の合せ面に取付けた鎌錠に対しても本発明の鎌錠監視装置をそのまま適用できる。
【００５５】
図２の実施形態においては、鎌錠監視装置４０を鎌錠１０を備える引き戸３４側に取り付けているが、掛け金具１２を備える引き戸３５側に設けて鎌片１８の動作を監視するようにしても良い。
【００５６】
また、本発明はその目的と利点を損なうことのない適宜の変形を含み、更に上記の実施形態に示した数値による限定は受けない。
【符号の説明】
【００５７】
１０：鎌錠
１２：掛止金具
１４：フロント板
１６：開口
１８：鎌片
２６：ハンドル
２８：掛け口
３２：金具本体
３４，３５：引き戸
３４ａ，３５ａ：合せ面
４０：鎌錠監視装置
４２：マイクロスイッチ
４４：スイッチノブ
４６：検知レバー
５０：ケースカバー
５２：制御部
５４：通信部
５６：アンテナ
６０：検知コイル
６２：発振部
６４：周波数検知部
６６：フィルタ
６８：出力回路
７０：間欠駆動部
【図１】
2012149452.tif 000003
【図２】
2012149452.tif 000004
【図３】
2012149452.tif 000005
【図４】
2012149452.tif 000006
【図５】
2012149452.tif 000007
【図６】
2012149452.tif 000008
【図７】
2012149452.tif 000009